【事件の表示】
　特許第３０７０９９８号「中空糸型膜分離モジュールの製造方法および中空糸型膜分離モジュール」の請求項１ないし４に係る特許に対する特許異議の申立てについて、次のとおり決定する。
【結　論】
　訂正を認める。
　特許第３０７０９９８号の請求項１ないし４に係る特許を維持する。
【理　由】
１．手続きの経緯
　本件特許第３０７０９９８号発明は、平成３年９月３日に特許出願され、平成１２年５月２６日にその特許の設定登録がなされたものである。
　これに対し、三菱レイヨン株式会社より特許異議の申立てがなされ、取消理由通知がなされ、その指定期間内の平成１３年６月２６日に訂正請求がなされたが、その後新たな取消理由が発見されたので平成１３年１２月２６日付けで再度取消理由通知がなされたところ、平成１３年６月２６日付け訂正請求書が取り下げられ、平成１４年１月１８日付けで再度訂正請求がなされたものである。
２．訂正の適否についての判断
２−１．訂正事項
　平成１４年１月１８日付けの訂正請求は、特許請求の範囲の減縮、この減縮に伴う明りょうでない記載の釈明を目的として、訂正請求書に添附した全文訂正明細書のとおり、すなわち次の訂正事項ａ乃至訂正事項ｅのとおり訂正するものである。　
（１）訂正事項ａ：特許請求の範囲の請求項１の「接着封止する膜分離モジュールの製造方法」を「接着封止し、前記熱収縮性を有する複数の中空糸の熱収縮量を弛み量で吸収できる膜分離モジュールの製造方法」と、また請求項１の「封止部間の長さよりも熱収縮量分だけ長い複数の中空糸からなる中空糸束の両端部」を「前記複数の中空糸を封止部間の長さよりも熱収縮量分である０．３〜８％だけ長くして、複数の中空糸からなる中空糸束の両端部」とそれぞれ訂正する。
（２）訂正事項ｂ：特許請求の範囲の請求項３の「封止部とを備えた膜分離モジュール」を「封止部とを備えており、前記熱収縮性を有する複数の中空糸の熱収縮量を弛み量で吸収できる膜分離モジュール」と、また請求項３の「前記中空糸が封止部間で、封止部間の長さよりも熱収縮量分だけ弛んでいる」を「前記複数の中空糸が封止部間で、封止部間の長さよりも熱収縮量分である０．３〜８％だけ弛んでいる」とそれぞれ訂正する。
（３）訂正事項ｃ：特許明細書の段落【０００７】の「接着封止する膜分離モジュールの製造方法」を「接着封止し、前記熱収縮性を有する複数の中空糸の熱収縮量を弛み量で吸収できる膜分離モジュールの製造方法」と、また段落【０００７】の「封止部間の長さよりも熱収縮量分だけ長い複数の中空糸からなる中空糸束の両端部」を「前記複数の中空糸を封止部間の長さよりも熱収縮量分である０．３〜８％だけ長くして、複数の中空糸からなる中空糸束の両端部」とそれぞれ訂正する。
（４）訂正事項ｄ：特許明細書の段落【０００８】の「封止部とを備えた膜分離モジュール」を「封止部とを備えており、前記熱収縮性を有する複数の中空糸の熱収縮量を弛み量で吸収できる膜分離モジュール」と、また段落【０００８】の「前記中空糸が封止部間で、封止部間の長さよりも熱収縮量分だけ弛んでいる」を「前記複数の中空糸が封止部間で、封止部間の長さよりも熱収縮量分である０．３〜８％だけ弛んでいる」とそれぞれ訂正する。
（５）訂正事項ｅ：特許明細書の段落【００１８】の「中空糸の収縮量よりも大きくてもよい。」を「中空糸の収縮量分だけ大きくする。」と訂正する。
２−２．訂正の目的の適否、新規事項の有無及び拡張・変更の存否
　上記訂正事項ａ及び訂正事項ｂは、請求項１及び請求項３の記載に技術的限定を付加するものであるから、特許請求の範囲の減縮に該当する。また訂正事項ｃ乃至訂正事項ｅは、特許請求の範囲の減縮に伴う明りょうでない記載の釈明に該当するものであり、しかも、いずれの訂正事項も特許明細書に記載した事項の範囲内でなされたものであるから新規事項の追加に該当せず、また当該訂正によって実質上特許請求の範囲を拡張し又は変更するものでもない。
２−３．むすび
　したがって、上記訂正は、平成６年改正法附則第６条第１項の規定によりなお従前の例によるとされる、特許法第１２０条の４第３項において準用する平成６年改正法による改正前の特許法第１２６条第１項ただし書、第２項の規定に適合するので、当該訂正を認める。
３．本件訂正発明
　特許権者が請求した上記訂正は、上述したとおり、認容することができるから、本件請求項１乃至４に係る発明（以下、それぞれ「本件訂正発明１乃至４」という）は、訂正後の請求項１乃至請求項４に記載された事項により特定される次のとおりのものである。
「【請求項１】熱収縮性を有する複数の中空糸からなる中空糸束をケースに収容し、前記中空糸の両端面が開口した状態で、中空糸束とケースとの両端部を封止剤で接着封止し、前記熱収縮性を有する複数の中空糸の熱収縮量を弛み量で吸収できる膜分離モシュールの製造方法であって、前記複数の中空糸を封止部間の長さよりも熱収縮量分である０．３〜８％だけ長くして、前記複数の中空糸からなる中空糸束の両端部をケースの両端部とエポキシ系封止剤で接着封止し、封止部間で中空糸を弛ませる中空糸型膜分離モジュールの製造方法。
【請求項２】中空糸が、ポリオレフイン系ポリマー又はフッ素含有ポリマーである請求項１記載の中空糸型膜分離モジュールの製造方法。
【請求項３】熱収縮性を有する複数の中空糸からなる中空糸束と、の中空糸束を収容するケースと、前記中空糸の両端面が開口した状態で、中空糸束とケースとの両端部がエポキシ系封止剤で接着封止された封止部とを備えており、前記熱収縮性を有する複数の中空糸の熱収縮量を弛み量で吸収できる膜分離モジュールであって、前記複数の中空糸が封止部間で、封止部間の長さよりも熱収縮量分である０．３〜８％だけ弛んでいる中空糸型膜分離モジュール。
【請求項４】中空糸が、ポリオレフィン系ポリマー又はフッ素含有ポリマーであり、エポキシ系封止剤がビスフエノールＡ型エポキシ樹脂と芳香族ジアミンとを含む請求項３記載の中空糸型分離膜モジュール。」
４．特許異議申立てについて
（１）特許異議申立ての理由
　特許異議申立人は、証拠方法として、甲第１号証及び甲第２号証を提出して、訂正前の本件請求項１乃至３に係る発明は、甲第１号証に記載された発明であり、また訂正前の本件請求項１乃至４に係る発明は、甲第１号証及び甲第２号証に記載された発明に基づいて当業者が容易に発明をすることができたものであるから、本件発明の特許は、特許法第２９条第１項第３号及び同条第２項に違反してなされたものであると主張している。
（２）証拠の記載内容
　甲第１号証及び甲第２号証には、それぞれ次の事項が記載されている。
甲第１号証：実願昭５５−１３１５７２号（実開昭５７−５５５０６号）のマイクロフィルム
（ａ）「潜在的に伸縮性の異なる中空繊維の集合体から形成され、少なくとも該中空繊維の一端が固定されてなる流体処理装置において物理的又は／および化学的作用により装置内の中空繊維間に長さの変化を与え、たるみの状態の種々異なる繊維から中空繊維束が構成されてなる中空繊維を用いた流体処理装置。」（第１頁実用新案登録請求の範囲）
（ｂ）「一方中空糸を束として用いる場合、部分的に中空糸同志が並列に接触して並ぶことにより、該部分の中空糸表面部分へ流体の供給そのものが阻害される。中空繊維を用いた流体処理装置にみられるこのような欠点を改良すべく、本考案者は鋭意検討した結果本考案に到達した。」（第５頁第２行乃至第７行）
（ｃ）「本考案で言う潜在的に伸縮性の異なる中空繊維とは中空糸が真直ぐ伸びた状態から物理的又は化学的作用により長さ方向に寸法が伸びて変化する性質又は中空糸が多少ゆるんだ状態から長さ方向に丁法が縮んで変化する性質を云う。」（第５頁第１６行乃至第２０行）
（ｄ）「伸縮性の異なる繊維からなる中空糸束は伸縮性の発現する条件下において伸縮した結果、伸縮性の違いによって各中空糸の長さは不揃いになり中空糸束としては嵩高くなり、中空外部の流体の流れはモジュール全体として均質化される。」（第９頁第２行乃至第７行）
甲第２号証：特開平１−２８９８８４号公報
「ジグリシジルエーテルビスフェノールＡ１８ｇ、テトラグリシジルジアミノジフェニルメタン１２ｇ、ジアミノジフェニルスルホン２１ｇ及びイソホロンジアミン１６ｇを均一に混合した粗成物」（第５頁右上欄実施例−１）
（３）当審の判断
（ｉ）本件訂正発明１について
　甲第１号証の上記（ａ）には、「潜在的に伸縮性の異なる中空繊維の集合体から形成され、少なくとも該中空繊維の一端が固定されてなる流体処理装置において物理的又は／および化学的作用により装置内の中空繊維間に長さの変化を与え、たるみの状態の種々異なる繊維から中空繊維束が構成されてなる中空繊維を用いた流体処理装置」と記載されているから、これを本件訂正発明１の方法的な記載ぶりに則って整理すると、甲第１号証には「熱収縮性の異なる複数の中空糸からなる中空糸束をケースに収容し、中空糸束とケースとの両端部を封止剤で接着封止する膜分離モジュールの製造方法であって、前記熱収縮性の異なる複数の中空糸をたるみの状態が種々異なるように、前記複数の中空糸からなる中空糸束の両端部をケースの両端部とエポキシ系封止剤で接着封止する中空糸型膜分離モジュールの製造方法」の発明（以下、「甲１発明」という）が記載されていると云える。
　そこで、本件訂正発明１と甲１発明とを対比すると、両者は、「熱収縮性の複数の中空糸を弛んだ状態にするように、前記複数の中空糸からなる中空糸束の両端部をケースの両端部とエポキシ系封止剤で接着封止する中空糸型膜分離モジュールの製造方法」という点では一致するが、次の点で相違していると云える。
（イ）本件訂正発明１は、「複数の中空糸の熱収縮量を弛み量で吸収できる膜分離モジュール」であるのに対し、甲１発明は、甲第１号証の上記（ｄ）の記載によれば、中空糸の異なる伸縮性を利用して中空糸同志を不揃いにするものであるから、熱収縮量を弛み量で吸収できる膜分離モジュールとは云えない点
（ロ）本件訂正発明１は、「複数の中空糸を封止部間の長さよりも熱収縮量分である０．３〜８％だけ長く」するのに対し、甲１発明は、この点が明らかでない点
　次に、これら相違点について検討すると、甲第１号証に記載の中空糸同志の「たるみ状態」の技術的な意味は、上記（ｂ）及び（ｄ）から明らかな如く、中空糸同志の伸縮性の違いを利用して各中空糸の長さを不揃いとし中空外部の流体の流れを均質化することであり、本件訂正発明１の如き「中空糸での応力作用の防止」という技術思想ではないから、上記相違点は、甲第１号証の記載から当業者といえど容易に想到することができないと云うべきである。
　また、甲第２号証について検討すると、この証拠は、上記相違点を何ら示唆するものではない。
　してみると、本件訂正発明１の上記（イ）及び（ロ）の相違点は、甲第１号証及び甲第２号証に記載の発明に基づいて当業者が容易に想到することができたとは云えないものである。
　したがって、本件訂正発明１は、甲第１号証に記載された発明であるとすることはできないし、また甲第１号証及び甲第２号証に記載された発明に基づいて当業者が容易に発明をすることができたものともすることができない
（ｉｉ）本件訂正発明２乃至４について
　本件訂正発明２は、請求項１を引用するものであり、また本件訂正発明３及び４は、本件訂正発明１と「複数の中空糸が封止部間で、封止部間の長さよりも熱収縮量分である０．３〜８％だけ弛んでいる」という一部共通する構成を有する「中空糸型膜分離モジュール」の発明であるから、本件訂正発明１と同様の理由により、これら発明は、甲第１号証に記載された発明であるとすることはできないし、また甲第１号証及び甲第２号証に記載された発明に基づいて当業者が容易に発明をすることができたものともすることができない。
４．むすび
　以上のとおり、特許異議申立ての理由及び証拠方法によっては、本件訂正発明についての特許を取り消すことはできない。
　また、他に本件訂正発明についての特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。 
【異議決定日】
平成１４年２月１３日（２００２．２．１３）
【訂正の要旨】
訂正の要旨
　本件訂正の要旨は、本件特許第３０７０９９８号発明の特許明細書を平成１４年１月１８日付け訂正請求書に添付された訂正明細書のとおり、すなわち、特許請求の範囲の減縮及び明りょうでない記載の釈明を目的として、次の訂正事項ａ乃至ｅのとおりに訂正するものである。
（１）訂正事項ａ：特許請求の範囲の請求項１の「接着封止する膜分離モジュールの製造方法」を「接着封止し、前記熱収縮性を有する複数の中空糸の熱収縮量を弛み量で吸収できる膜分離モジュールの製造方法」と、また請求項１の「封止部間の長さよりも熱収縮量分だけ長い複数の中空糸からなる中空糸束の両端部」を「前記複数の中空糸を封止部間の長さよりも熱収縮量分である０．３〜８％だけ長くして、複数の中空糸からなる中空糸束の両端部」とそれぞれ訂正する。
（２）訂正事項ｂ：特許請求の範囲の請求項３の「封止部とを備えた膜分離モジュール」を「封止部とを備えており、前記熱収縮性を有する複数の中空糸の熱収縮量を弛み量で吸収できる膜分離モジュール」と、また請求項３の「前記中空糸が封止部間で、封止部間の長さよりも熱収縮量分だけ弛んでいる」を「前記複数の中空糸が封止部間で、封止部間の長さよりも熱収縮量分である０．３〜８％だけ弛んでいる」とそれぞれ訂正する。
（３）訂正事項ｃ：特許明細書の段落【０００７】の「接着封止する膜分離モジュールの製造方法」を「接着封止し、前記熱収縮性を有する複数の中空糸の熱収縮量を弛み量で吸収できる膜分離モジュールの製造方法」と、また段落【０００７】の「封止部間の長さよりも熱収縮量分だけ長い複数の中空糸からなる中空糸束の両端部」を「前記複数の中空糸を封止部間の長さよりも熱収縮量分である０．３〜８％だけ長くして、複数の中空糸からなる中空糸束の両端部」とそれぞれ訂正する。
（４）訂正事項ｄ：特許明細書の段落【０００８】の「封止部とを備えた膜分離モジュール」を「封止部とを備えており、前記熱収縮性を有する複数の中空糸の熱収縮量を弛み量で吸収できる膜分離モジュール」と、また段落【０００８】の「前記中空糸が封止部間で、封止部間の長さよりも熱収縮量分だけ弛んでいる」を「前記複数の中空糸が封止部間で、封止部間の長さよりも熱収縮量分である０．３〜８％だけ弛んでいる」とそれぞれ訂正する。
（５）訂正事項ｅ：特許明細書の段落【００１８】の「中空糸の収縮量よりも大きくてもよい。」を「中空糸の収縮量分だけ大きくする。」と訂正する。
（５４）【発明の名称】
中空糸型膜分離モジュールの製造方法および中空糸型膜分離モジュール
（５７）【特許請求の範囲】
　【請求項１】　熱収縮性を有する複数の中空糸からなる中空糸束をケースに収容し、前記中空糸の両端面が開口した状態で、中空糸束とケースとの両端部を封止剤で接着封止
し、前記熱収縮性を有する複数の中空糸の熱収縮量を弛み量で吸収でき
前記複数の中空糸を
である０．３〜８％
くして、前記
　【請求項２】　中空糸が、ポリオレフィン系ポリマー又はフッ素含有ポリマーである請求項１記載の中空糸型膜分離モジュールの製造方法。
　【請求項３】　熱収縮性を有する複数の中空糸からなる中空糸束と、この中空糸束を収容するケースと、前記中空糸の両端面が開口した状態で、中空糸束とケースとの両端部がエポキシ系封止剤で接着封止された封止部とを備え
ており、前記熱収縮性を有する複数の中空糸の熱収縮量を弛み量で吸収できる
複数の
である０．３〜８％
　【請求項４】　中空糸が、ポリオレフィン系ポリマー又はフッ素含有ポリマーであり、エポキシ系封止剤がビスフェノールＡ型エポキシ樹脂と芳香族ジアミンとを含む請求項３記載の中空糸型分離膜モジュール。
【発明の詳細な説明】
　【０００１】
　【産業上の利用分野】
　本発明は、加熱流体中の成分を膜分離する上で好適な中空糸型膜分離モジュールの製造方法および中空糸型膜分離モジュールに関する。
　【０００２】
　【従来の技術と発明が解決しようとする課題】
　逆浸透法、限外濾過法などにおいては、種々の膜分離モジュール、特に中空糸型膜分離モジュールが汎用されている。この中空糸型膜分離モジュールの基本的構造は、多数の中空糸からなる中空糸束と、この中空糸束を収容するケースと、中空糸の端面を開口させ、前記中空糸束とケースとの両端部を封止剤により封止し、中空糸束を固定する封止部とで構成されている。
　【０００３】
　一方、中空糸型膜分離モジュールによる分離操作は、一次側から高圧下で中空糸に流体を供給し、流体中の所定の成分を中空糸を通じて選択的に二次側に透過させ、非透過成分を濃縮している。また、透過効率を高めるためには、加熱液体や加熱気体を一次側から供給するのが有利である。
　【０００４】
　しかし、中空糸、特に分離膜を構成するポリマーを溶融紡糸し、延伸する延伸法により製造された中空糸を用いて加熱流体を膜分離すると、延伸に伴う残留応力により収縮する。中空糸が収縮すると、両端部が封止部で固定されているので、中空糸に応力が作用し、中空糸に欠陥が生じたり、中空糸が切れ易くなり、膜分離モジュールの信頼性が低下する。
　【０００５】
　従って、本発明の目的は、特に熱履歴が作用しても中空糸に応力が作用するのを防止でき、信頼性の高い中空糸型膜分離モジュールの製造方法と、中空糸型膜分離モジュールを提供することにある。
　【０００６】
　【課題を解決するための手段】
　本発明者は、前記目的を達成するため、鋭意検討の結果、中空糸の熱収縮率に対応させて、長さの大きな中空糸を用いてモジュールを構成すると、熱により中空糸に応力が作用せず、信頼性の高いモジュールが得られることを見いだし、本発明を完成した。
　【０００７】
　すなわち、本発明は、熱収縮性を有する複数の中空糸からなる中空糸束をケースに収容し、前記中空糸の両端面が開口した状態で、中空糸束とケースとの両端部を封止剤で接着封止
し、前記熱収縮性を有する複数の中空糸の熱収縮量を弛み量で吸収でき
前記複数の中空糸を
である０．３〜８％
くして、前記
　【０００８】
　また、本発明は、熱収縮性を有する複数の中空糸からなる中空糸束と、この中空糸束を収容するケースと、前記中空糸の両端面が開口した状態で、中空糸束とケースとの両端部がエポキシ系封止剤で接着封止された封止部とを備え
ており、前記熱収縮性を有する複数の中空糸の熱収縮量を弛み量で吸収できる
複数の
である０．３〜８％
　【０００９】
　前記中空糸としては、オレフィン系ポリマー又はフッ素含有ポリマーが好ましい。
　【００１０】
　【作用】
　前記構成の中空糸型膜分離モジュールにおいて、中空糸の長さをＬ０、中空糸の温度Ｔにおける熱収縮率をＳ（％）とすると、温度Ｔの流体を膜分離する場合、中空糸の長さＬ１は、Ｌ１＝Ｌ０×（１−Ｓ（％））に収縮する。
　【００１１】
　そして、長さＬ０よりも収縮量△（Ｌ０−Ｌ１）分だけ長い中空糸を用い、両端部の封止部で固定し、収縮量△（Ｌ０−Ｌ１）に対応する分だけ中空糸を弛ませると、温度Ｔで流体を膜分離する際に中空糸が収縮しても、収縮量を前記弛み量で吸収でき、中空糸に応力が作用しない。
　【００１２】
　【実施例】
　以下、必要に応じて、本発明の実施例を図面を参照しつつ説明する。
　【００１３】
　図１は本発明の実施例を示す概略断面図である。この例では、前記中空糸型膜分離モジュールは、複数の中空糸１１からなる中空糸束１２と、この中空糸束１２を収容するケース３とを備えている。前記ケース３は、中空筒状のケース本体４と、該ケース本体４の両端開口部を閉塞する蓋体５ａ，５ｂとで構成されている。
　【００１４】
　一方の蓋体５ａには、液体を供給する供給口６ａが形成され、他方の蓋体５ｂには、前記中空糸１１を透過しなかった濃縮成分を流出させるための流出口６ｂが形成されている。さらに、前記ケース本体４には、前記中空糸１１を透過側、すなわち二次側に選択的に透過した成分を流出させる流出口７ａ，７ｂが形成されている。
　【００１５】
　前記中空糸束１２とケース３との両端部は、封止部１８で、エポキシ系封止剤により接着封止されている。また、中空糸束１２の各中空糸１１の両端面は開口している。
　【００１６】
　そして、この例においては、中空糸を予め熱処理することなく、封止部１８間の距離よりも大きな複数の中空糸１１からなる中空糸束１２をケース３に収容する。そして、中空糸束１２とケース３との両端部を封止剤で接着封止し、封止部１８間で中空糸１１に弛みを生じさせる。
　【００１７】
　前記中空糸１１の長さは、中空糸の種類、熱収縮量や被処理流体の温度を考慮して選択できる。より具体的には、中空糸１１として、両端部の封止部１８間の距離よりも熱収縮量△（Ｌ０−Ｌ１）分だけ長くした中空糸を用い、この中空糸１１の両端部を封止部１８で固定すると、封止部１８間で中空糸１１には、熱収縮量△（Ｌ０−Ｌ１）に対応して余剰の弛みが生じる。従って、加熱流体の膜分離に際して中空糸１１が熱収縮しても、熱収縮量が前記弛み量に吸収されるので、中空糸１１に張力が作用するのを防止でき、中空糸１１の選択的分離効率が低下しない。
　【００１８】
　なお、中空糸の弛み量は、少なくとも中空糸の収縮量に対応していればよく、流体の膜分離処理時の中空糸の収縮量
分だけ
する
　【００１９】
　例えば、ポリプロピレン製中空糸は、温度８０℃、６０時間程度の熱処理において２％程度収縮する。
　【００２０】
　なお、前記中空糸は、熱収縮する限りその種類は限定されない。中空糸を構成するポリマーとしては、例えば、酢酸セルロースなどのセルロース系ポリマー；ポリエチレン、エチレン−プロピレン共重合体、エチレン−アクリル酸エチル共重合体、エチレン−酢酸ビニル共重合体、アイオノマー、ポリプロピレン、エチレン−プロピレン共重合体、ポリ−４−メチルペンテン−１などのオレフィン系ポリマー；ポリテトラフルオロエチレン、ポリクロロトリフルオロエチレン、ポリビニリデンフルオライド、テトラフルオロエチレン−エチレン共重合体、テトラフルオロエチレン−パーフルオロアルキルビニルエーテル共重合体などのフッ素含有ポリマー；ポリ塩化ビニル；アクリロニトリル系ポリマー；アクリル系ポリマー；シリコーン樹脂；ポリアミド；ポリイミド；ポリエーテルサルホン；ポリサルホン；ポリフェニレンオキサイド；ポリフェニレンスルフィド；ポリアリレート；ポリエーテルエーテルケトン；ポリエーテルイミド；ポリカーボネート；ポリビニルアルコール系ポリマーなどが例示される。これらの中空糸のなかで、溶融延伸法により作製される中空糸、特にポリプロピレンなどのオレフィン系ポリマー、フッ素含有ポリマーなどが好ましい。
　【００２１】
　また、中空糸としては、通常、多孔質中空糸が使用される。中空糸の細孔径は分離対象によって適当に選択できる。細孔の形状は、球状、楕円状、偏平状、スリット状などであってもよい。
　【００２２】
　さらに、封止部１８を形成するエポキシ系封止剤としては、耐熱性の高い封止剤、例えば、エポキシ樹脂と硬化剤とを含むエポキシ系封止剤が好ましい。好ましいエポキシ系封止剤は、エポキシ樹脂、特にビスフェノールＡ型エポキシ樹脂と芳香族ジアミンとを含むエポキシ系封止剤である。芳香族アミンとしては、例えば、２，４−ジアミノトルエン、ｐ−フェニレンジアミン、ｍ−フェニレンジアミン、ｐ−キシリレンジアミン、ｍ−キシリレンジアミン、テトラクロロ−ｐ−キシリレンジアミンなどの単環式芳香族ジアミン；ジアミノジフェニルメタン類；ジアミノジフェニルスルホン類；４，４′−ジアミノジフェニルエーテルなどが挙げられる。前記芳香族アミンは、ヘキサメチレンジアミン、ジエチレントリアミンなどの直鎖アミンやポリアミンと併用してもよい。
　【００２３】
　ケースの材質は特に制限されず、プラスチックや金属などであってもよい。さらに、ケースは必要に応じて、前記流出口などを通じて、透過側が減圧可能であってもよく、通気可能な減圧可能なチャンバ内に配設されていてもよい。
　【００２４】
　さらに、膜分離に際しては、前記とは逆に、蓋体５ｂの流出口６ｂから流体を供給してもよく、ケース本体４の流出口７ａ，７ｂの一方から流体を供給し、他方の流出口から非透過成分である濃縮流体を流出させ、蓋体５ａの供給口６ａから透過成分を流出させてもよい。
　【００２５】
　本発明の中空糸型膜分離モジュールは、例えば、液体の膜分離、液体から気体成分の膜分離、特に耐熱性が必要とされる加熱流体の膜分離に利用できる。
　【００２６】
　【発明の効果】
　本発明の製造方法によれば、中空糸の熱収縮率に対応させて、長さの大きな中空糸を用いてモジュールを構成するので、加熱流体を膜分離しても中空糸に応力が作用するのを防止でき、信頼性の高い中空糸型膜分離モジュールが得られる。
　【００２７】
　また、本発明の中空糸型膜分離モジュールは、中空糸が封止部間で弛んでいるので、中空糸の熱収縮を吸収でき、熱が作用しても中空糸に応力が作用せず、信頼性が高い。
【図面の簡単な説明】
　【図１】
　本発明の中空糸型膜分離モジュールの実施例を示す概略断面図である。
　【符号の説明】
　１１…中空糸
　１２…中空糸束
　３…ケース
　１８…封止部